(57)【要約】【課題】電気機器を接続可能であって、かつ外形が比較的小さいテーブルタップ用コンセントキャップを提供する。【解決手段】背面に一対の栓刃２ａ、２ｂが突出するプラグハウジング１の両側面には、それぞれ一対の栓刃挿入口１４が栓刃２ａ、２ｂの突出方向に直交する向きに並んで開口し、各栓刃挿入口１４から挿入される電気機器の栓刃をそれぞれ受ける刃受けばね６ａ、６ｂがプラグハウジング１内に２組設けられる。同極の刃受けばね６ａ、６ｂ同士は、各栓刃２ａ、２ｂと各端子部４ａ、４ｂとをそれぞれ互いに連結する連結片５ａ、５ｂを介して互いに接続される。一対の連結片５ａ、５ｂの一部は栓刃２ａ、２ｂの突出方向に沿って互いに対向し、対向面間には連結片５ａ、５ｂ間を互いに絶縁する中ボディ７が配設される。【選択図】図１
2005183323.tif 000002
【特許請求の範囲】
【請求項１】
コンセント口に差込む一対の栓刃を有し接続コードを介してテーブルタップに接続されるコンセントキャップであって、前記栓刃を突出させる形で保持するプラグハウジングと、プラグハウジングにおいて前記栓刃が突出する向きに沿ういずれかの面からプラグハウジング内に導入される前記接続コードを各栓刃にそれぞれ接続する一対の端子部と、各栓刃と各端子部とをそれぞれ互いに連結する一対の連結片と、各連結片にそれぞれ連結されプラグハウジングにおいて前記栓刃が突出する向きに沿ういずれかの面に開口する栓刃挿入口を通して挿入される他の機器の栓刃を受ける少なくとも一対の刃受けばねとを備え、一対の刃受けばねは前記栓刃の突出方向に直交する向きに並んでおり、一対の連結片の少なくとも一部は前記栓刃の突出方向に離間して互いに対向し対向面間に両連結片を互いに絶縁する中ボディが配設されていることを特徴とするテーブルタップ用コンセントキャップ。
【請求項２】
各刃受けばねは、栓刃の挿入方向における一端部に栓刃を導入する導入部を備え、他端を中ボディに当接させることを特徴とする請求項１記載のテーブルタップ用コンセントキャップ。
【請求項３】
一対の前記連結片と前記中ボディとを互いに位置決めして固定する固定手段を備えることを特徴とする請求項１または請求項２記載のテーブルタップ用コンセントキャップ。
【請求項４】
前記固定手段は、各連結片における前記中ボディに対向する部位からそれぞれ中ボディに向かって突出する圧入突起と、中ボディにおける圧入突起に対応する部位に形成され圧入突起が圧入されることによって圧入突起が固定される圧入穴とで構成されることを特徴とする請求項３記載のテーブルタップ用コンセントキャップ。
【請求項５】
前記中ボディは、一対の前記連結片の対向方向に対称に形成されることを特徴とする請求項１ないし請求項４のいずれか１項に記載のテーブルタップ用コンセントキャップ。
【請求項６】
前記プラグハウジングは、前記栓刃と前記端子部との間において前記中ボディの外形に沿って突設され中ボディを位置決めする複数個の位置決めリブを備えることを特徴とする請求項１ないし請求項５のいずれか１項に記載のテーブルタップ用コンセントキャップ。
【請求項７】
前記プラグハウジングは、他の機器の栓刃を前記栓刃挿入口に挿抜することによって一対の栓刃挿入口を閉塞する位置と一対の栓刃挿入口を開放する位置との間で両栓刃挿入口が並ぶ方向に沿って移動するように構成された扉体と、両栓刃挿入口を閉塞する位置に扉体を移動させるように復帰力を作用させる復帰部材とを備えることを特徴とする請求項１ないし請求項６のいずれか１項に記載のテーブルタップ用コンセントキャップ。
【発明の詳細な説明】
【技術分野】
【０００１】
本発明は、コンセント口に差込む一対の栓刃を有し接続コードを介してテーブルタップに接続されるテーブルタップ用コンセントキャップに関するものである。
【背景技術】
【０００２】
従来から、コンセント口に差込む一対の栓刃を有するコンセントキャップに接続コードを介して接続されたテーブルタップが提供されている。
【０００３】
テーブルタップは、一般に、図１３に示すように、複数個（図では６個）の露出窓９０が一面上に開口する外郭体９１内に、各露出窓９０からそれぞれ挿入される電気機器の栓刃を受ける刃受けばね６が複数組（図では６組）収納されている。各組の一方の刃受けばね６同士は一直線状に並んでおり導電体９２によって互いに接続され、各組の他方の刃受けばね６同士も一直線状に並んでおり導電体９２によって互いに接続される。一対の導電体９２は、互いに略平行して配置され、それぞれの一端部に接続コード３が接続される端子部４が設けられる。
【０００４】
このようなテーブルタップＢでは、刃受けばね６および導電体９２が組み込まれる内郭体９３が外郭体９１内に配設される。内郭体９３は、外郭体９１の各露出窓９０においてそれぞれ露出し電気機器の栓刃がそれぞれ挿通される複数組（図では６組）の栓刃挿入口１４と、刃受けばね６と導電体９２とを収納する収納空間９４と、収納空間９４内において導電体９２間に介在することによって導電体９２間を互いに絶縁する仕切壁９５とが形成された構成を有する（たとえば、特許文献１参照）。
【０００５】
また、図１４に示すように、一直線状に並ぶ３組の刃受けばね６のうち１組が、導電体９２の長手方向の一端部から導電体９２の長手方向に沿って挿入される電気機器の栓刃を受ける向きに配設されたテーブルタップＢもある。このテーブルタップＢでは、導電体９２の長手方向の他端部に端子部４が設けられ、端子部４を突出させる形で刃受けばね６と導電体９２とが内郭体９３に収納される。内郭体９３は、刃受けばね６と導電体９２とが収納される収納凹部９６が形成された中ベース９３ａに対して中カバー９３ｂを組合せて構成されており、長手方向の一端面に一対の栓刃挿入口１４が開口するとともに長手方向の他端面から一対の端子部４を突出させる形状を有する。他の２組の栓刃挿入口１４は、導電体９２の長手方向に沿って中カバー９３ｂに列設される。
【０００６】
外郭体９１は、内郭体９３における各栓刃挿入口１４が開口する部位の周囲をそれぞれ露出窓９０から露出させる形で内郭体９３を包むように、外ベース９１ａと外カバー９１ｂとを組合せて構成される。外カバー９１ｂの長手方向に沿って開口する露出窓９０からは、中カバー９３ｂに列設された２組の栓刃挿入口１４が露出する。また、外郭体９１の長手方向の一端部において一対の栓刃挿入口１４が露出し、外郭体９１の長手方向の他端部においては一対の端子部４に接続された接続コード３が外郭体９１の長手方向に沿って突出する。外郭体９１における接続コード３が突出する部位には接続コード３を保護するブッシング３３が形成される。
【特許文献１】特開２００２−１８４５４１号公報（第３頁、図１）
【発明の開示】
【発明が解決しようとする課題】
【０００７】
ところで、テーブルタップＢはコンセントキャップの一対の栓刃をコンセント口に差込んで使用されるものであるから、テーブルタップＢを使用することによって少なくとも１個のコンセント口をコンセントキャップによって占有することになる。たとえば、コンセント口が１個しか備わっていない室内においてテーブルタップＢを使用した場合に、電気機器を接続可能なコンセント口はテーブルタップＢのコンセント口だけであって、すべての電気機器を１個のテーブルタップＢに対して接続することになるので、電気機器の配置がテーブルタップＢの近傍に限定されてしまったり、室内を複数の電源コードが引きまわされることによって美観を損ねたりする可能性がある。
【０００８】
これに対して、コンセントキャップにもコンセント口を設けることによって、複数の電気機器をテーブルタップとコンセントキャップとに分けて接続できるコンセントキャップ付きテーブルタップが提案されている。しかし、コンセントキャップ内において、刃受けばね６を保持しかつ一対の刃受けばね６を互いに絶縁するための構成として、上述した内郭体９３と同様の構成を採用するとすれば、コンセントキャップの外形が大きくなってしまう問題が生じる。
【０００９】
本発明は上記事由に鑑みて為されたものであり、電気機器を接続可能であって、かつ外形が比較的小さいテーブルタップ用コンセントキャップを提供することを目的とする。
【課題を解決するための手段】
【００１０】
請求項１の発明では、コンセント口に差込む一対の栓刃を有し接続コードを介してテーブルタップに接続されるコンセントキャップであって、前記栓刃を突出させる形で保持するプラグハウジングと、プラグハウジングにおいて前記栓刃が突出する向きに沿ういずれかの面からプラグハウジング内に導入される前記接続コードを各栓刃にそれぞれ接続する一対の端子部と、各栓刃と各端子部とをそれぞれ互いに連結する一対の連結片と、各連結片にそれぞれ連結されプラグハウジングにおいて前記栓刃が突出する向きに沿ういずれかの面に開口する栓刃挿入口を通して挿入される他の機器の栓刃を受ける少なくとも一対の刃受けばねとを備え、一対の刃受けばねは前記栓刃の突出方向に直交する向きに並んでおり、一対の連結片の少なくとも一部は前記栓刃の突出方向に離間して互いに対向し対向面間に両連結片を互いに絶縁する中ボディが配設されていることを特徴とする。
【００１１】
この構成では、少なくとも一対の刃受けばねを備えることによって電気機器を接続可能としたものであって、栓刃の突出方向に沿ういずれかの面に栓刃挿入口が開口することによって、コンセントキャップに電気機器を接続する際に壁面等のコンセントキャップの取付面からの突出寸法を比較的小さくすることができるので、家具と壁面との間などの比較的狭い空間においてもコンセントキャップに電気機器を接続することができる。また、一対の刃受けばねが栓刃の突出方向に直交する向きに並んで配置されることによって、プラグハウジングにおける取付面からの突出寸法を比較的小さくすることができる。しかも、中ボディは、一対の連結片の対向面間に配設されるものであればよいので、刃受けばねおよび連結片が組み込まれるものに比べて小さくすることができる。また、一対の連結片は栓刃の突出方向に中ボディを挟んでいるので、栓刃をコンセント口に対して挿抜する際に一対の連結片が互いに近づく向きに移動することを中ボディによって防止できる。
【００１２】
請求項２の発明は、請求項１の発明において、各刃受けばねが、栓刃の挿入方向における一端部に栓刃を導入する導入部を備え、他端を中ボディに当接させることを特徴とする。
【００１３】
この構成によれば、刃受けばねに対して栓刃を挿入する際に、栓刃を挿入する向きの刃受けばねの移動が中ボディによって禁止されているので、刃受けばねがぐらつくことがない。
【００１４】
請求項３の発明は、請求項１または請求項２の発明において、一対の前記連結片と前記中ボディとを互いに位置決めして固定する固定手段を備えることを特徴とする。
【００１５】
この構成によれば、一対の連結片と中ボディとを１部材としてプラグハウジングに組み込むことができるので、組立の作業性が向上する。
【００１６】
請求項４の発明は、請求項３の発明において、前記固定手段が、各連結片における前記中ボディに対向する部位からそれぞれ中ボディに向かって突出する圧入突起と、中ボディにおける圧入突起に対応する部位に形成され圧入突起が圧入されることによって圧入突起が固定される圧入穴とで構成されることを特徴とする。
【００１７】
この構成によれば、専用の工具を必要とせずに一対の連結片と中ボディとを互いに位置決めして固定することができる。
【００１８】
請求項５の発明は、請求項１ないし請求項４のいずれかの発明において、前記中ボディが、一対の前記連結片の対向方向に対称に形成されることを特徴とする。
【００１９】
この構成によれば、各連結片をそれぞれ中ボディに対して組合せる際に組間違いが生じないから、組立の作業性が向上する。
【００２０】
請求項６の発明は、請求項１ないし請求項５のいずれかの発明において、前記プラグハウジングが、前記栓刃と前記端子部との間において前記中ボディの外形に沿って突設され中ボディを位置決めする複数個の位置決めリブを備えることを特徴とする。
【００２１】
この構成によれば、栓刃と中ボディと端子部とを栓刃の突出方向に重なることなく配置できるので、プラグハウジングにおける栓刃の突出方向の寸法を比較的小さくすることができる。しかも、中ボディがプラグハウジング内に位置決めされているので、栓刃や刃受けばねをぐらつくことなくプラグハウジング内に組み込むことができる。
【００２２】
請求項７の発明は、請求項１ないし請求項６のいずれかの発明において、前記プラグハウジングが、他の機器の栓刃を前記栓刃挿入口に挿抜することによって一対の栓刃挿入口を閉塞する位置と一対の栓刃挿入口を開放する位置との間で両栓刃挿入口が並ぶ方向に沿って移動するように構成された扉体と、両栓刃挿入口を閉塞する位置に扉体を移動させるように復帰力を作用させる復帰部材とを備えることを特徴とする。
【００２３】
この構成によれば、栓刃挿入口に栓刃を挿入していないときには扉体によって栓刃挿入口が閉塞されるので、栓刃挿入口からの埃等の侵入を防止することができる。
【発明の効果】
【００２４】
本発明は、少なくとも一対の刃受けばねを備えることによって電気機器を接続可能としたものであって、栓刃の突出方向に沿ういずれかの面に栓刃挿入口が開口することによって、コンセントキャップに電気機器を接続する際に壁面等のコンセントキャップの取付面からの突出寸法を比較的小さくすることができるので、家具と壁面との間などの比較的狭い空間においてもコンセントキャップに電気機器を接続することができる。また、一対の刃受けばねが栓刃の突出方向に直交する向きに並んで配置されることによって、プラグハウジングにおける取付面からの突出寸法を比較的小さくすることができる。しかも、中ボディは、一対の連結片の対向面間に配設されるものであればよいので、刃受けばねおよび連結片が組み込まれるものに比べて小さくすることができる。また、一対の連結片は栓刃の突出方向に中ボディを挟んでいるので、栓刃をコンセント口に対して挿抜する際に一対の連結片が互いに近づく向きに移動することを中ボディによって防止できる。
【発明を実施するための最良の形態】
【００２５】
以下に本発明を実施するための最良の形態を図面を参照して説明する。以下では、コンセント口にテーブルタップ用コンセントキャップ（以下、コンセントキャップと略称する）の一対の栓刃を差込む向きを後方とし、図２（ａ）の上下、左右を上下、左右として説明するが使用方向を限定する趣旨ではない。
【００２６】
（実施形態１）
本実施形態のコンセントキャップＡは、図１に示すように、前後に２分割される外ベース１０と外カバー１１とを組立ねじ１２によって結合して構成されるプラグハウジング１を備える。一対の栓刃２ａ、２ｂは、図２に示すように、プラグハウジング１の背面における上端部であって左右方向の略中央部において、左右方向に並んで設けられる。プラグハウジング１は、図３に示すように、下端部において下方に向かって左右方向の寸法を小さくする形状の指掛け部１３が左右両側面に形成されており、下端面から下方に向かってテーブルタップＢに接続される接続コード３が突出される。プラグハウジング１の下端面には、接続コード３を保護するブッシング３０が設けられる。
【００２７】
接続コード３は、外カバー１１を外した状態のコンセントキャップＡを示す図４のように、各栓刃２ａ、２ｂの下方にそれぞれ設けた一対の端子部４ａ、４ｂに接続される。各栓刃２ａ、２ｂとその栓刃２ａ、２ｂに対応する各端子部４ａ、４ｂとは、それぞれ上下方向の異なる位置に配置され、互いに板状の導電部材からなる一対の連結片５ａ、５ｂを介して電気的に接続される。本実施形態では、各指掛け部１３をそれぞれ上下方向の中央部が凹んだ凹面状に形成することによって、コンセント口に対してコンセントキャップＡを挿抜する際に各指掛け部１３にそれぞれ指を掛けたときにプラグハウジング１が掴み易くなるようにしている。
【００２８】
一方、コンセントキャップＡに対して接続コード３を介して接続されたテーブルタップＢは、図３に示すように、箱状のタップハウジング３１を備えるものであって、タップハウジング３１の幅方向の一側面に２個のコンセント口３２がタップハウジング３１の長手方向に沿って並設されるとともに、タップハウジング３１の長手方向の一端面に１個のコンセント口３２が配設される。タップハウジング３１の長手方向の他端面においては、接続コード３が突出するとともに接続コード３を保護するブッシング３３が形成されている。
【００２９】
ところで、本実施形態のコンセントキャップＡにおいては、図４に示すように、各栓刃２ａ、２ｂと各端子部４ａ、４ｂとの間に、それぞれ一対の刃受けばね６ａ、６ｂが配設される。各組の各一対の刃受けばね６ａ、６ｂは、上下方向に並べて配置される。左側の一対の刃受けばね６ａ、６ｂは、左方から挿入される電気機器の栓刃を受ける向きに配設され、右側の一対の刃受けばね６ａ、６ｂは、右方から挿入される電気機器の栓刃を受ける向きに配設される。各刃受けばね６ａ、６ｂは、それぞれ一対のばね片からなり、ばね片の一端部同士が連続一体に形成され、ばね片の他端部間（導入部）を互いに近づける向きに復帰力が生じるようにばね付勢される。電気機器の栓刃はばね片の他端部間からばね片の一端部に向かって挿入される。
【００３０】
各刃受けばね６ａ、６ｂに対してそれぞれ挿入される電気機器の栓刃をプラグハウジング１内に挿通するために、プラグハウジング１における左右両側面にはそれぞれ一対の栓刃挿入口１４が開口される。
【００３１】
各組の刃受けばね６ａ、６ｂは、図４の右上段に配置されたものと左下段に配置されたものとを同極とし、左上段に配置されたものと右下段に配置されたものとを同極とするものであって、各極の刃受けばね６ａ、６ｂがそれぞれ連結片５ａ、５ｂを介して各栓刃２ａ、２ｂに電気的に接続される。一対の連結片５ａ、５ｂは、互いに接触することがないように、一部を互いに厚み方向に対向させる形で、前後方向に互いに離れるように形成されている。左側の栓刃２ａは一方の連結片５ａを介して右上段の刃受けばね６ａと左下段の刃受けばね６ａとに接続され、右側の栓刃２ｂは他方の連結片５ｂを介して左上段の刃受けばね６ｂと右下段の刃受けばね６ｂとに接続される。
【００３２】
本実施形態のコンセントキャップＡでは、各連結片５ａ、５ｂをそれぞれ保持しかつ互いに絶縁するために、一対の連結片５ａ、５ｂの対向面間に絶縁材料からなる中ボディ７が配設される。中ボディ７は、上下方向に長い直方体状であって、左右両側面にそれぞれ一対の刃受けばね６ａ、６ｂにおけるばね片の一端部同士を連続一体に結合した部位が当接するように設けられる。すなわち、中ボディ７によって、連結片５ａ、５ｂ同士が互いに近づく向きの移動を禁止するとともに、各組の刃受けばね６ａ、６ｂ同士が互いに近づく向きの移動も禁止している。
【００３３】
中ボディ７は、プラグハウジング１内の左右方向の略中央部において栓刃２ａ、２ｂと端子部４ａ、４ｂとの間の位置に配設されるものであって、外ベース１０における中ボディ７が配設される部位の周囲には中ボディ７の外形に沿って複数個の位置決めリブ１５が突設される。図４に示すものでは、各位置決めリブ１５は中ボディ７の左右両側面および下端面に当接するようにそれぞれ配置されており、中ボディ７の下端面においては左右方向に２個並設されている。中ボディ７は、位置決めリブ１５によってプラグハウジング１内に位置固定される。
【００３４】
この構成によれば、一対の栓刃２ａ、２ｂをコンセント口に対して挿抜する際に各連結片５ａ、５ｂが前後方向に移動することが禁止され、かつ各刃受けばね６ａ、６ｂに電気機器の栓刃を挿入する際に各刃受けばね６ａ、６ｂが左右方向に移動することが禁止されるので、各連結片５ａ、５ｂおよび各刃受けばね６ａ、６ｂをぐらつくことなく保持することができる。しかも、プラグハウジング１の内部において、各連結片５ａ、５ｂや各刃受けばね６ａ、６ｂを保持しかつ絶縁するために、連結片５ａ、５ｂや刃受けばね６ａ、６ｂを収納する部材を用いる構成を採用する場合に比べて、プラグハウジング１の外形を小さくすることができる。
【００３５】
また、各組の各一対の刃受けばね６ａ、６ｂが上下方向に並んで設けられており、しかも、接続コード３を下方に突出させる構成を採用しているので、コンセントキャップＡをコンセント口に接続したときに、コンセント口を設けた壁面等からの突出寸法を比較的小さくすることができる。たとえば、図６に示すような、プラグハウジング１の前面から電気機器の栓刃を接続する構成のコンセントキャップＡと比べると、接続された電気機器のプラグを併せた壁面等からの突出寸法が小さくなるのは勿論のこと、プラグハウジング１自体の前後方向の寸法も小さくなる。したがって、壁面と家具との間のような比較的狭い隙間においても、コンセントキャップＡを使用することができる。
【００３６】
また、本実施形態では、各連結片５ａ、５ｂと各刃受けばね６ａ、６ｂと各端子部４ａ、４ｂとはそれぞれ連続一体に形成されており、各栓刃２ａ、２ｂは各連結片５ａ、５ｂの上端部に設けた結合孔５０に係合する結合突起２０を有することによって各連結片５ａ、５ｂにそれぞれ固定される。中ボディ７に対して各連結片５ａ、５ｂを位置決めして固定する固定手段としては、図７に示すように、各連結片５ａ、５ｂにおける中ボディ７に対向する部位の一部から中ボディ７に向かって突出する板状の圧入突起５１と、中ボディ７における圧入突起５１に対応する部位に形成された圧入穴７０とを備えている。
【００３７】
圧入突起５１は、基端部の幅寸法より先端部の幅寸法が大きく形成されており、各連結片５ａ、５ｂに対してそれぞれ２個ずつ形成される。一方、圧入穴７０は、幅寸法が圧入突起５１の厚み寸法と略同じであって長手寸法が圧入突起５１の先端部の幅寸法より小さい形状のものが、各圧入突起５１にそれぞれ対応するように合計４個形成され、それぞれ圧入突起５１が圧入されることによって圧入突起５１を固定する。この構成によって、一対の栓刃２ａ、２ｂと一対の連結片５ａ、５ｂと一対の端子部４ａ、４ｂと２組の刃受けばね６ａ、６ｂと中ボディ７とは、図５に示すように、１部材としてプラグハウジング１に組み込むことができるので、組立の作業性が向上する。
【００３８】
また、中ボディ７は、前後方向に対称になるように構成されており、前後方向のいずれの面に対していずれの連結片５ａ、５ｂを組合せてもよく、結果的に、一対の連結片５ａ、５ｂと中ボディ７とを組合せる際に組間違いが生じないから、組立の作業性が向上するという効果が期待できる。
【００３９】
なお、図３に示したテーブルタップＢは、本実施形態のコンセントキャップＡに対して接続コード３を介して接続されるテーブルタップＢの構成を限定するものではなく、本実施形態に対して他の構成のテーブルタップＢを採用することもできる。
【００４０】
（実施形態２）
本実施形態のコンセントキャップＡは、図８に示すように、プラグハウジング１における各組の栓刃挿入口１４が開口する部位に、各組の栓刃挿入口１４に電気機器の栓刃を挿入していないときに栓刃挿入口１４を閉塞する扉体８０を有した扉機構８を備える点が実施形態１のコンセントキャップＡと相違する。
【００４１】
このコンセントキャップＡにおける扉機構８の構成について図９を参照して説明する。扉機構８は、各組の栓刃挿入口１４がそれぞれ形成されたプラグ台８１に対して、扉体８０と扉体８０をばね付勢する復帰部材としての復帰ばね８２とを取付けることによって構成される。プラグ台８１は、プラグハウジング１に嵌合することによって位置固定される。
【００４２】
プラグ台８１は、一対の栓刃挿入口１４が並ぶ方向に長く各栓刃挿入口１４の深さ方向の一面を開口した薄箱状であって、幅方向の両内側面における長手方向の略中央部にスライド溝８３が形成されている。扉体８０は、プラグ台８１の開口面側からプラグ台８１内に収納されるプラグ台８１の長手方向に長い矩形板状の部材であって、幅方向の両側面における長手方向の略中央部に円柱状のスライド突起８４が突設されることによって、スライド溝８３にスライド突起８４を挿入した状態でプラグ台８１に保持される。
【００４３】
スライド溝８３はプラグ台８１の長手方向に沿って各栓刃挿入口１４の幅寸法と略等しい寸法に形成されており、一方の栓刃挿入口１４を閉塞する位置と開放する位置との間で扉体８０を平行移動可能としている。さらに、扉体８０は、一方の栓刃挿入口１４を開放する位置において他方の栓刃挿入口１４と重なる透孔８５が貫設されることによって、一対の栓刃挿入口１４を同時に閉塞または開放する。
【００４４】
また、復帰ばね８２は、帯状の板ばねからなり、両端部がそれぞれ厚み方向の一方に向かって鋭角に折曲された形状に形成される。復帰ばね８２はプラグ台８１内において、プラグ台８１の長手方向の一内側面と扉体８０との間に、両端部が折曲された側を扉体８０に向ける形で配設されることによって、扉体８０に対して一対の栓刃挿入口１４を閉塞する位置に復帰力が生じるようにばね付勢している。
【００４５】
さらに、扉体８０は、図１０（ａ）に示すような一対の栓刃挿入口１４を閉塞する位置において、各栓刃挿入口１４に臨む面がそれぞれ各栓刃挿入口１４の深さ寸法を一対の栓刃挿入口１４が並ぶ方向の復帰ばね側（図１０の右方）に向かって小さくするように傾斜した傾斜面８６が形成されており、図１０（ｂ）に示すように、栓刃挿入口１４に電気機器の栓刃Ｃが挿入されことによって電気機器の栓刃に押圧されて一対の栓刃挿入口１４を開放する位置に移動する。
【００４６】
また、一方の栓刃Ｃのみを栓刃挿入口１４に挿入した場合には、図１０（ａ）に２点鎖線で示すように、扉体８０がスライド突起８４を回転軸として回転することによって、扉体８０に設けた係止突起８７が栓刃挿入口１４の周縁に設けた係止凹部８８に嵌って扉体８０の移動を禁止し、栓刃挿入口１４を開放しないようにしている。その他の構成および機能は実施形態１と同様である。
【００４７】
（実施形態３）
本実施形態のコンセントキャップＡは、図１１に示すように、実施形態１のコンセントキャップＡに対して、プラグハウジング１の上端面に左右両端部より中央部が凹んだ凹面状に形成された指掛け部１３を付加したものである。
【００４８】
このコンセントキャップＡでは、プラグハウジング１の下端部における左右両側面に設けた指掛け部１３と併せて、プラグハウジング１を囲むような３箇所に指掛け部１３を備えることになるから、各指掛け部１３にそれぞれ指を掛けることによって、コンセント口に対してコンセントキャップＡを挿抜する際に３点を支持する形でプラグハウジング１を掴み易くなる。結果的に、コンセントキャップＡを一対の栓刃２ａ、２ｂの突出方向に対して歪むことなくコンセント口に挿抜し易くなる。他の構成および機能は実施形態１と同様である。
【００４９】
（実施形態４）
本実施形態のコンセントキャップＡは、従来構成として図１４に示したテーブルタップＢに対して接続コード３を介して接続されたものである。
【００５０】
このコンセントキャップＡは、図１２に示すように、一対の栓刃２ａ、２ｂをテーブルタップＢにおける中カバー９３ｂに２組列設された栓刃挿入口１４のうちの１組に挿入し、接続コード３の突出方向をテーブルタップＢにおける接続コード３の突出方向と一致させた状態でテーブルタップＢと結合することができる。この状態では、コンセントキャップＡの一対の栓刃２ａ、２ｂが外方に突出することがなく、接続コード３を束ねることも容易である。したがって、工場出荷時などにおいて、このようにコンセントキャップＡとテーブルタップＢとを結合することによってコンセントキャップ付きテーブルタップをコンパクトに収納できるという効果が期待できる。その他の構成および機能は実施形態１と同様である。
【図面の簡単な説明】
【００５１】
【図１】本発明の実施形態１のコンセントキャップを示す分解斜視図である。
【図２】同上のコンセントキャップを示し、（ａ）は正面図、（ｂ）は側面図、（ｃ）は背面図、（ｄ）は上面図である。
【図３】同上の構成を示す斜視図である。
【図４】同上の外カバーを外した状態のコンセントキャップを示す正面図である。
【図５】同上の要部を示し、（ａ）は斜視図、（ｂ）は正面図である。
【図６】同上のコンセント口を前面に設けた例を示し、（ａ）は正面図、（ｂ）は側面図である。
【図７】同上の要部を示す分解斜視図である。
【図８】本発明の実施形態２のコンセントキャップを示し、（ａ）は斜視図、（ｂ）は外カバーを外した状態の斜視図である。
【図９】同上の要部を示す分解斜視図である。
【図１０】（ａ）は栓刃挿入口を閉塞している状態を示す断面図、（ｂ）は栓刃挿入口を開放している状態を示す断面図である。
【図１１】本発明の実施形態３のコンセントキャップを示し、（ａ）は斜視図、（ｂ）は正面図である。
【図１２】本発明の実施形態４の構成を示す斜視図である。
【図１３】従来例を示す分解斜視図である。
【図１４】同上の他の例を示し、（ａ）は斜視図、（ｂ）は外郭体および中カバーを外した状態の斜視図である。
【符号の説明】
【００５２】
１  プラグハウジング
３  接続コード
７  中ボディ
１４  栓刃挿入口
１５  位置決めリブ
５１  圧入突起
７０  圧入穴
８０  扉体
８２  復帰ばね（復帰部材）
２ａ、２ｂ  栓刃
４ａ、４ｂ  端子部
５ａ、５ｂ  連結片
６ａ、６ｂ  刃受けばね
Ａ  （テーブルタップ用）コンセントキャップ
Ｂ  テーブルタップ
【図１】
2005183323.tif 000003
【図２】
2005183323.tif 000004
【図３】
2005183323.tif 000005
【図４】
2005183323.tif 000006
【図５】
2005183323.tif 000007
【図６】
2005183323.tif 000008
【図７】
2005183323.tif 000009
【図８】
2005183323.tif 000010
【図９】
2005183323.tif 000011
【図１０】
2005183323.tif 000012
【図１１】
2005183323.tif 000013
【図１２】
2005183323.tif 000014
【図１３】
2005183323.tif 000015
【図１４】
2005183323.tif 000016